(57)【特許請求の範囲】
【請求項１】
案内情報が表示されたシート材によって構成され、箱形状の容器に変形可能な投函物であって、
前記シート材は、
四角形状を呈し、互いに対向する一対の第１及び第２の辺と、前記第１及び第２の辺と隣り合い且つ互いに対向する一対の第３及び第４の辺とを有する裏面部と、
前記裏面部と略同形の四角形状を呈し、前記第１の辺を介して前記裏面部に連続して設けられた表面部であって、前記第１の辺に対向する第５の辺と、前記第１及び第５の辺と隣り合い且つ互いに対向する第６及び第７の辺とを有する表面部と、
四角形状を呈し、前記第２の辺を介して前記裏面部に連続して設けられた第１の折り畳み部と、
四角形状を呈し、前記第３の辺を介して前記裏面部に連続して設けられた第２の折り畳み部と、
四角形状を呈し、前記第４の辺を介して前記裏面部に連続して設けられた第３の折り畳み部と、
四角形状を呈し、前記第５の辺を介して連続して設けられた折り返し部とを有し、
前記第２の折り畳み部は、前記第１の折り畳み部と、前記表面部のうち前記裏面部寄りの一部とに接続され、
前記第３の折り畳み部は、前記第１の折り畳み部と、前記表面部のうち前記裏面部寄りの一部とに接続され、
前記表面部は、前記第６及び第７の辺の間において前記第１及び第５の辺の延在方向に沿って延びる第１の折り目線を有し、前記裏面部と重なり合うように前記第１の辺に沿って折り畳まれ、
前記第１〜第３の折り畳み部は、前記表面部と前記裏面部との間に挟まれるようにそれぞれ前記第２〜第４の辺に沿って折り畳まれ、
前記折り返し部は、前記裏面部と重なり合うと共に前記表面部とで前記裏面部を挟むように前記第５の辺に沿って折り畳まれ、第１のシール手段によって前記裏面部と接続され、
前記第１のシール手段による前記折り返し部と前記裏面部との接続が解除されたときに、
前記裏面部が前記容器の底壁として機能し、
前記第１〜第３の折り畳み部、及び、前記表面部のうち前記第１の辺と前記第１の折り目線との間の部分が、前記裏面部に対して起立し、前記容器の側壁として機能し、
前記表面部が前記第１の折り目線に沿って折り曲げられることにより、前記表面部のうち前記第１の折り目線と前記第５の辺との間の部分、及び、前記折り返し部が、前記容器の天壁として機能する、投函物。
【請求項２】
前記シート材は、前記折り返し部の先端に連続して設けられた延長部をさらに有し、
前記第１のシール手段は、前記延長部と前記裏面部との対向面同士を接合する第１の接合部材である、請求項１に記載の投函物。
【請求項３】
前記延長部には、前記第１のシール手段と前記折り返し部との間に、前記延長部を前記折り返し部の延在方向に沿って引き裂くための引き裂き手段が設けられている、請求項２に記載の投函物。
【請求項４】
前記第１のシール手段による前記折り返し部と前記裏面部との接続が解除されたときに、前記延長部は、前記容器内に挿通されることにより前記第１の折り畳み部と係合可能である、請求項２又は３に記載の投函物。
【請求項５】
前記第１のシール手段は、前記裏面部に形成された第１のスリット溝であり、
前記シート材は、前記折り返し部の先端に連続して設けられた差し込み部をさらに有し、
前記差し込み部は、前記第１のスリット溝内に挿通されることにより前記裏面部と係合している、請求項１に記載の投函物。
【請求項６】
前記第１の折り畳み部には、前記差し込み部が挿通可能な第２のスリット溝が形成され、
前記第１のシール手段による前記折り返し部と前記裏面部との接続が解除されたときに、前記差し込み部は、前記第２のスリット溝内に挿通されることにより前記第１の折り畳み部と係合可能である、請求項５に記載の投函物。
【請求項７】
前記案内情報は、前記シート材のうち前記容器の内側面となる部分に表示されている、請求項１〜６のいずれか一項に記載の投函物。
【請求項８】
前記表面部と、前記第２及び第３の折り畳み部とをそれぞれ接続する第２のシール手段をさらに備える、請求項１〜７のいずれか一項に記載の投函物。
【請求項９】
前記第２の折り畳み部は、前記第３の辺から離れるにつれて互いに近づく一対の第２の折り目線を有し、
前記第３の折り畳み部は、前記第４の辺から離れるにつれて互いに近づく一対の第３の折り目線を有し、
前記第２のシール手段は、
前記表面部と、前記第２の折り畳み部のうち前記第３の辺及び前記一対の第２の折り目線で囲まれる領域との対向面同士を接合する第２の接合部材と、
前記表面部と、前記第３の折り畳み部のうち前記第４の辺及び前記一対の第３の折り目線で囲まれる領域との対向面同士を接合する第３の接合部材とを有する、請求項８に記載の投函物。
【発明の詳細な説明】
【技術分野】
【０００１】
本開示は、箱形状の容器に変形可能な投函物に関する。
【背景技術】
【０００２】
従来、店舗に顧客を誘引して利益を増加させるために、ダイレクトメールやポスティング等の方法により店舗の案内状を顧客に配送し、当該案内状を持参した顧客に販売促進品を配布することが行われている。その一形態として、特許文献１は、比較的大きな組み立て式の箱に店舗の案内情報が表示された巻紙を巻き付けた巻紙案内状を顧客宛に宅配便等で配送し、当該箱を持参した顧客に対し、当該箱内を満たすまで販売促進品を詰め込んで持ち帰らせるサービス（詰め放題式のサービス）を提供することを開示している。
【先行技術文献】
【特許文献】
【０００３】
【特許文献１】特開２０１１−０９６２１３号公報
【発明の概要】
【発明が解決しようとする課題】
【０００４】
しかしながら、箱に巻紙を巻き付けた巻紙案内状を多数用意し、多数の顧客に宅配便等で配送することは、多大なコストが掛かりうる。しかも、組み立て式とはいえ箱が比較的大きく嵩張るものであったため、箱を店舗に持参するにあたり顧客に心理的又は物理的な負担を与えやすく、顧客の店舗への来場が阻害される懸念がある。
【０００５】
そこで、本開示は、顧客の誘引を効果的且つ低コストに行うことが可能な投函物を説明する。
【課題を解決するための手段】
【０００６】
本開示の一つの観点に係る投函物は、案内情報が表示されたシート材によって構成され、箱形状の容器に変形可能な投函物であって、シート材は、四角形状を呈し、互いに対向する一対の第１及び第２の辺と、第１及び第２の辺と隣り合い且つ互いに対向する一対の第３及び第４の辺とを有する裏面部と、裏面部と略同形の四角形状を呈し、第１の辺を介して裏面部に連続して設けられた表面部であって、第１の辺に対向する第５の辺と、第１及び第５の辺と隣り合い且つ互いに対向する第６及び第７の辺とを有する表面部と、四角形状を呈し、第２の辺を介して裏面部に連続して設けられた第１の折り畳み部と、四角形状を呈し、第３の辺を介して裏面部に連続して設けられた第２の折り畳み部と、四角形状を呈し、第４の辺を介して裏面部に連続して設けられた第３の折り畳み部と、四角形状を呈し、第５の辺を介して連続して設けられた折り返し部とを有し、第２の折り畳み部は、第１の折り畳み部と、表面部のうち裏面部寄りの一部とに接続され、第３の折り畳み部は、第１の折り畳み部と、表面部のうち裏面部寄りの一部とに接続され、表面部は、第６及び第７の辺の間において第１及び第５の辺の延在方向に沿って延びる第１の折り目線を有し、裏面部と重なり合うように第１の辺に沿って折り畳まれ、第１〜第３の折り畳み部は、表面部と裏面部との間に挟まれるようにそれぞれ第２〜第４の辺に沿って折り畳まれ、折り返し部は、裏面部と重なり合うと共に表面部とで裏面部を挟むように第５の辺に沿って折り畳まれ、第１のシール手段によって裏面部と接続され、第１のシール手段による折り返し部と裏面部との接続が解除されたときに、裏面部が容器の底壁として機能し、第１〜第３の折り畳み部、及び、表面部のうち第１の辺と第１の折り目線との間の部分が、裏面部に対して起立し、容器の側壁として機能し、表面部が第１の折り目線に沿って折り曲げられることにより、表面部のうち第１の折り目線と第５の辺との間の部分、及び、折り返し部が、容器の天壁として機能する。
【０００７】
本開示の一つの観点に係る投函物によれば、第１〜第３の折り畳み部がそれぞれ、表面部と裏面部との間に挟まれるように折り畳まれている。また、本開示の一つの観点に係る投函物によれば、折り返し部が、裏面部と重なり合うと共に表面部とで裏面部を挟むように折り畳まれており、第１のシール手段によって裏面部と接続されている。そのため、本開示の一つの観点に係る投函物は、開封前において、薄型のカード状を呈している。このような投函物が顧客に配送され、顧客が第１のシール手段による折り返し部と裏面部との接続を解除すると、投函物を箱形状の容器に組み立てることができる。すなわち、第１の折り畳み部が第２の辺に沿って折り曲げられることにより第１の折り畳み部が裏面部に対して起立し、第１の折り畳み部が容器の側壁として機能する。第２の折り畳み部が第３の辺に沿って折り曲げられることにより第２の折り畳み部が裏面部に対して起立し、第２の折り畳み部が容器の側壁として機能する。第３の折り畳み部が第４の辺に沿って折り曲げられることにより第３の折り畳み部が裏面部に対して起立し、第３の折り畳み部が容器の側壁として機能する。表面部のうち第１の折り目線と第１の辺との間の部分が第１の辺に沿って折り曲げられることにより表面部が裏面部に対して起立し、当該部分が容器の側壁として機能する。表面部のうち第１の折り目線と第５の辺との間の部分及び折り返し部が第１の折り目線に沿って曲げられることにこれらが裏面部に対向し、これらが容器の天壁として機能する。このように、投函物が箱形状の容器に変形可能であるので、シート材に表示された案内情報に従って、組み立てられた容器を店舗等の会場に持参した顧客に対して、詰め放題式のサービス等を提供することができる。しかも、所定形状のシート材を折り畳んで封止するだけで、箱形状の容器に変形可能な投函物が構成されている。そのため、投函物を極めて簡便に用意することができる。また、投函物は、ポストや郵便受けに投函可能な程度の大きさであるので、顧客へ配送するための料金を抑制することができる。このように、本開示の一つの観点に係る投函物によれば、投函物の準備及び配送を低コストに行うことが可能であると共に、投函物を箱形状の容器に組み立てる楽しさを顧客に提供しつつ、容器を用いた詰め放題式のサービス等を顧客に提供することにより、顧客を極めて効果的に誘引することが可能である。
【０００８】
シート材は、折り返し部の先端に連続して設けられた延長部をさらに有し、第１のシール手段は、延長部と裏面部との対向面同士を接合する第１の接合部材であってもよい。この場合、第１のシール手段（第１の接合部材）が、延長部によって覆われ、投函物の外表面に現れないので、投函物の美観の向上を図りつつ、投函物を封止することができる。
【０００９】
延長部には、第１のシール手段と折り返し部との間に、延長部を折り返し部の延在方向に沿って引き裂くための引き裂き手段が設けられていてもよい。この場合、引き裂き手段によって、投函物を簡易且つ迅速に開封することができる。
【００１０】
第１のシール手段による折り返し部と裏面部との接続が解除されたときに、延長部は、容器内に挿通されることにより第１の折り畳み部と係合可能であってもよい。この場合、延長部を容器内に挿通することにより、容器が閉じられた状態を保持することができる。
【００１１】
第１のシール手段は、裏面部に形成された第１のスリット溝であり、シート材は、折り返し部の先端に連続して設けられた差し込み部をさらに有し、差し込み部は、第１のスリット溝内に挿通されることにより裏面部と係合していてもよい。この場合、差し込み部を第１スリット溝内に挿通するだけで、簡易且つ迅速に投函物を封止することができる。
【００１２】
第１の折り畳み部には、差し込み部が挿通可能な第２のスリット溝が形成され、第１のシール手段による折り返し部と裏面部との接続が解除されたときに、差し込み部は、第２のスリット溝内に挿通されることにより第１の折り畳み部と係合可能であってもよい。この場合、差し込み部を第２のスリット溝内に挿通することにより、容器が閉じられた状態を保持することができる。
【００１３】
案内情報は、シート材のうち容器の内側面となる領域に表示されていてもよい。この場合、顧客が投函物を箱形状の容器に組み立てる過程で顧客に案内情報が呈示されるので、顧客は比較的長時間案内情報に触れることになる。そのため、案内情報が顧客により印象づけられるので、顧客の誘引をいっそう効果的に行うことが可能となる。
【００１４】
本開示の一つの観点に係る投函物は、表面部と、第２及び第３の折り畳み部とをそれぞれ接続する第２のシール手段をさらに備えてもよい。この場合、表面部と、第２及び第３の折り畳み部との間に隙間が生じ難くなる。そのため、本開示の一つの観点に係る投函物を郵便等で配送する際に、表面部と第２及び第３の折り畳み部との間に他の投函物が挟まり難くなる。従って、他の投函物が、本開示の一つの観点に係る投函物に巻き込まれることを抑制できる。また、表面部と、第２及び第３の折り畳み部との間に隙間が生じ難いので、投函物の配送に際して、雨やその他の異物が投函物の内部へ侵入することを抑制できる。
【００１５】
第２の折り畳み部は、第３の辺から離れるにつれて互いに近づく一対の第２の折り目線を有し、第３の折り畳み部は、第４の辺から離れるにつれて互いに近づく一対の第３の折り目線を有し、第２のシール手段は、表面部と、第２の折り畳み部のうち第３の辺及び一対の第２の折り目線で囲まれる領域との対向面同士を接合する第２の接合部材と、表面部と、第３の折り畳み部のうち第４の辺及び一対の第３の折り目線で囲まれる領域との対向面同士を接合する第３の接合部材とを有してもよい。
【発明の効果】
【００１６】
本開示に係る投函物によれば、顧客の誘引を効果的且つ低コストに行うことが可能となる。
【図面の簡単な説明】
【００１７】
【図１】図１は、投函物の一つの例を示す斜視図である。
【図２】図２は、図１の投函物の正面図である。
【図３】図３は、図１の投函物の背面図である。
【図４】図４は、図１の投函物の展開図である。
【図５】図５は、図１の投函物を開封して箱形状の容器に成形する手順を説明するための図である。
【図６】図６は、図１の投函物を開封して箱形状の容器に成形する手順を説明するための図である。
【図７】図７は、図１の投函物を開封して箱形状の容器に成形する手順を説明するための図である。
【図８】図８は、投函物の他の例を示す斜視図である。
【図９】図９は、図８の投函物の展開図である。
【図１０】図１０は、投函物の他の例を示す斜視図である。
【図１１】図１１は、図１０の投函物の正面図である。
【図１２】図１２は、図１０の投函物の展開図である。
【図１３】図１３は、図１０の投函物を開封して箱形状の容器に成形する手順を説明するための図である。
【図１４】図１４は、図１０の投函物を開封して箱形状の容器に成形する手順を説明するための図である。
【図１５】図１５は、投函物の他の例を示す展開図である。
【発明を実施するための形態】
【００１８】
以下に説明される本開示に係る実施形態は本発明を説明するための例示であるので、本発明は以下の内容に限定されるべきではない。以下の説明において、同一要素又は同一機能を有する要素には同一符号を用いることとし、重複する説明は省略する。
【００１９】
まず、本実施形態に係る投函物１の構成について、図１〜図４を参照して説明する。投函物１は、開封前に置いて扁平形状（薄型のカード状）を呈している。投函物１は、後述するとおり、箱形状の容器Ｂ（図７（ｂ）参照）に変形可能である。投函物１の大きさは、配送（例えば、郵送、宅配、又はポスティング等）によって投函物１を郵便ポストや郵便受けに投函可能な程度であればよく、例えば、第１種郵便物程度の大きさや、第２種郵便物程度の大きさであってもよい（第１種郵便物及び第２種郵便物の大きさについて、郵便法（昭和２２年１２月１２日法律第１６５号）第１５条参照）。
【００２０】
投函物１は、図４に示されるように、所定形状に成形された１枚のシート材１０によって構成されている。シート材１０の材質としては、折り曲げが可能であり、小さな荷重で大きく変形してしまうことがないような所定の剛性を有していてもよい。シート材１０の材質としては、例えば、紙、段ボール、樹脂フィルムなどが挙げられる。シート材１０が紙である場合には、例えば、紙の坪量が１９０ｇ／ｍ２〜４００ｇ／ｍ２程度であってもよい。この範囲であると、シート材１０の折り曲げが可能であり、投函物１を箱形状の容器Ｂに組み立てたときにその形状が保持できる程度の保形性が発現される。紙の坪量は、１９０ｇ／ｍ２〜３５０ｇ／ｍ２程度であってもよく、２１０ｇ／ｍ２〜３１０ｇ／ｍ２程度であってもよい。特に、紙の坪量が２１０ｇ／ｍ２以下あると、投函物１の重量が小さくなるので、例えば定形郵便物としてより安価に配送することができる。シート材１０が段ボールである場合には、例えば、段数が約１２５個／３０ｃｍ、厚みが約１．２ｍｍのいわゆるＦフルートであってもよいし、段数が約１６７個／３０ｃｍ、厚みが約０．９ｍｍのいわゆるＧフルートであってもよい。
【００２１】
シート材１０は、図１〜図４に示されるように、裏面部１１と、表面部１２と、折り畳み部１３〜１５と、連結部１６〜１９と、折り返し部２０と、延長部２１と、シール手段２２（第１のシール手段）とを有する。裏面部１１、表面部１２、折り畳み部１３〜１５、連結部１６〜１９、折り返し部２０、及び延長部２１の外形はいずれも、四角形状であり、例えば４つの角がいずれも略９０°の四角形（長方形又は正方形）であってもよい。
【００２２】
裏面部１１は、辺１１ａ〜１１ｄ（第１〜第４の辺）で構成されている。一対の辺１１ａ，１１ｂは、略平行に延びており、互いに対向している。辺１１ａ，１１ｂの長さは、例えば１００ｍｍ〜４００ｍｍ程度であってもよいし、２００ｍｍ〜３３０ｍｍ程度であってもよいし、２２０ｍｍ程度であってもよい。一対の辺１１ｃ，１１ｄは、略平行に延びており、辺１１ａ，１１ｂと隣り合い且つ互いに対向している。辺１１ｃ，１１ｄの長さは、例えば７０ｍｍ〜４００ｍｍであってもよいし、）１００ｍｍ〜３５０ｍｍであってもよいし、１０９ｍｍ程度であってもよい。
【００２３】
表面部１２は、裏面部１１と略同形状を呈する。表面部１２は、辺１１ａを介して裏面部１１に連続して設けられている。表面部１２は、辺１１ａと、辺１２ａ〜１２ｃ（第５〜第７の辺）とで構成されている。一対の辺１１ａ，１２ａは、略平行に延びており、互いに対向している。辺１２ａの長さは、辺１１ａの長さと同程度であってもよい。一対の辺１２ｂ，１２ｃは、略平行に延びており、辺１１ａ，１２ａと隣り合い且つ互いに対向している。辺１２ｂ，１２ｃの長さは、辺１１ｃ，１１ｄの長さと同程度であってもよい。表面部１２は、裏面部１１と重なり合うように辺１１ａに沿って折り畳まれている（図１参照）。
【００２４】
表面部１２は、折り目線ＰＬ（第１の折り目線）を有している。折り目線ＰＬは、辺１２ｂと辺１２ｃとの間において辺１１ａ，１２ａの延在方向に沿って延びている。本実施形態では、折り目線ＰＬは、辺１１ａ，１２ａと略平行に延びている。折り目線ＰＬは、表面部１２を、２つの部分１２Ａ，１２Ｂに分割している。部分１２Ａは、辺１１ａと、折り目線ＰＬと、辺１２ｂのうち辺１１ａ及び折り目線ＰＬの間の部分である辺Ｌ１と、辺１２ｃのうち辺１１ａ及び折り目線ＰＬの間の部分である辺Ｌ２とで囲まれている。部分１２Ｂは、辺１２ａと、折り目線ＰＬと、辺１２ｂのうち辺１２ａ及び折り目線ＰＬの間の辺Ｌ３と、辺１２ｃのうち辺１２ａ及び折り目線ＰＬの間の辺Ｌ４とで囲まれている。辺Ｌ１，Ｌ２は、例えば３０ｍｍ〜２００ｍｍ程度であってもよいし、４０ｍｍ〜１８０ｍｍ程度であってもよいし、４０ｍｍ程度であってもよい。辺Ｌ３，Ｌ４は、例えば３０ｍｍ〜２００ｍｍであってもよいし、４０ｍｍ〜１８０ｍｍ程度であってもよいし、７１ｍｍ程度であってもよい。
【００２５】
表面部１２のうち、裏面部１１と対向する側の面には、案内情報ＡＤ１が表示されている（図４参照）。すなわち、案内情報ＡＤ１は、シート材１０のうち容器Ｂの内側面となる部分に表示されている。案内情報ＡＤ１は、店舗等の会場に顧客を案内するための情報であり、例えば、会場に顧客を誘引するためのイベント情報、会場の位置情報、商品又は役務に関する宣伝又は広告情報などを含んでいてもよい。表面部１２のうち、投函物１の外表面側の面には、例えば、顧客に投函物１を配送するために顧客の住所等が表示されている（図３参照）。
【００２６】
折り畳み部１３（第１の折り畳み部）は、辺１１ｂを介して裏面部１１に連続して設けられている。折り畳み部１３は、辺１１ｂと、辺１３ａ〜１３ｃとで構成されている。一対の辺１１ｂ，１３ａは、略平行に延びており、互いに対向している。辺１３ａの長さは、辺１１ａ，１１ｂの長さと同程度であってもよい。一対の辺１３ｂ，１３ｃは、略平行に延びており、辺１１ｂ，１３ａと隣り合い且つ互いに対向している。辺１３ｂ，１３ｃの長さは、辺Ｌ１，Ｌ２の長さと同程度であってもよい。折り畳み部１３は、裏面部１１と表面部１２との間に挟まれるように、投函物１の内側に向けて辺１１ｂに沿って折り畳まれている。
【００２７】
折り畳み部１４（第２の折り畳み部）は、辺１１ｃを介して裏面部１１に連続して設けられている。折り畳み部１４は、辺１１ｃと、辺１４ａ〜１４ｃとで構成されている。一対の辺１１ｃ，１４ａは、互いに対向している。辺１４ａの中央部分には、辺１１ｃに向けて窪む凹部１４ｄが設けられている。一対の辺１４ｂ，１４ｃは、略平行に延びており、辺１１ｃ，１４ａと隣り合い且つ互いに対向している。辺１４ｂ，１４ｃの長さは、辺Ｌ１，１３ｂの長さと同程度であってもよい。
【００２８】
折り畳み部１４は、折り目線１４ｅ〜１４ｇを有している。折り目線１４ｅは、辺１１ｃと辺１４ａとの間において、辺１１ｃと対向し且つ略平行に延びている。折り目線１４ｆ（第２の折り目線）は、辺１１ｃ，１４ｂの交点と凹部１４ｄとを結ぶように直線状に延びている。折り目線１４ｆは、辺１１ｃ，１４ｂのそれぞれに対して略４５°の角度をなしている。折り目線１４ｇ（第２の折り目線）は、辺１１ｃ，１４ｃの交点と凹部１４ｄとを結ぶように直線状に延びている。折り目線１４ｇは、辺１１ｃ，１４ｃのそれぞれに対して略４５°の角度をなしている。折り目線１４ｆ，１４ｇは、辺１１ｃから辺１４ａに向かうにつれて（辺１１ｃから離れるにつれて）互いに近づいている。
【００２９】
折り畳み部１４は、裏面部１１と表面部１２との間に挟まれるように折り畳まれている。具体的には、折り畳み部１４は、折り畳み部１４のうち辺１１ｃ及び折り目線１４ｆ，１４ｇで囲まれた部分が裏面部１１に当接し、折り畳み部１４のうち他の部分が表面部１２側に位置するように、投函物１の内側に向けて辺１１ｃ及び折り目線１４ｆ，１４ｇに沿って折りたたまれている。
【００３０】
辺１４ｂのうち辺１１ｃ及び折り目線１４ｅの間の部分の長さは、辺Ｌ１の長さと略等しい。辺１４ｃのうち辺１１ｃ及び折り目線１４ｅの間の部分の長さは、辺１３ｂの長さと略等しい。
【００３１】
折り畳み部１５（第３の折り畳み部）は、辺１１ｄを介して裏面部１１に連続して設けられている。折り畳み部１５は、辺１１ｄと、辺１５ａ〜１５ｃとで構成されている。一対の辺１１ｄ，１５ａは、互いに対向している。辺１５ａの中央部分には、辺１１ｄに向けて窪む凹部１５ｄが設けられている。一対の辺１５ｂ，１５ｃは、略平行に延びており、辺１１ｄ，１５ａと隣り合い且つ互いに対向している。辺１５ｂ，１５ｃの長さは、辺Ｌ２，１３ｃの長さと同程度であってもよい。
【００３２】
折り畳み部１５は、折り目線１５ｅ〜１５ｇを有している。折り目線１５ｅは、辺１１ｄと辺１５ａとの間において、辺１１ｄと対向し且つ略平行に延びている。折り目線１５ｆ（第３の折り目線）は、辺１１ｄ，１５ｂの交点と凹部１５ｄとを結ぶように直線状に延びている。折り目線１５ｆは、辺１１ｄ，１５ｂのそれぞれに対して略４５°の角度をなしている。折り目線１５ｇ（第３の折り目線）は、辺１１ｄ，１５ｃの交点と凹部１５ｄとを結ぶように直線状に延びている。折り目線１５ｇは、辺１１ｄ，１５ｃのそれぞれに対して略４５°の角度をなしている。折り目線１５ｆ，１５ｇは、辺１１ｄから辺１５ａに向かうにつれて（辺１１ｄから離れるにつれて）互いに近づいている。
【００３３】
折り畳み部１５は、裏面部１１と表面部１２との間に挟まれるように折り畳まれている。具体的には、折り畳み部１５は、折り畳み部１５のうち辺１１ｄ及び折り目線１５ｆ，１５ｇで囲まれた部分が裏面部１１に当接し、折り畳み部１５のうち他の部分が表面部１２側に位置するように、投函物１の内側に向けて辺１１ｄ及び折り目線１５ｆ，１５ｇに沿って折りたたまれている。
【００３４】
辺１５ｂのうち辺１１ｄ及び折り目線１５ｅの間の部分の長さは、辺Ｌ２の長さと略等しい。辺１５ｃのうち辺１１ｄ及び折り目線１５ｅの間の部分の長さは、辺１３ｃの長さと略等しい。
【００３５】
連結部１６は、辺Ｌ１を介して部分１２Ａに連続して設けられている。連結部１６は、辺Ｌ１と、辺１６ａ〜１６ｃとで構成されている。一対の辺Ｌ１，１６ａは、互いに対向している。一対の辺１６ｂ，１６ｃは、辺Ｌ１から離れるにつれて互いに近づくように斜めに延びており、辺Ｌ１，１６ａと隣り合い且つ互いに対向している。すなわち、連結部１６は、略台形状を呈している。連結部１６は、折り畳み部１４のうち辺１４ｂと折り目線１４ｅ，１４ｆとで囲まれた部分と、接合部材（第１の接合部材）で接合されている。本明細書において、接合部材による接合方法は、例えば、接着テープによる接着、液状の接着剤を塗布して乾燥させることによる接着、面ファスナーを用いた接合、針を用いた又は針を用いないステープラーによる接合などが挙げられる。すなわち、連結部１６は、折り畳み部１４と部分１２Ａとを接続している。連結部１６は、投函物１の内側に向けて辺Ｌ１に沿って折りたたまれている。
【００３６】
連結部１７は、辺Ｌ２を介して部分１２Ａに連続して設けられている。連結部１７は、辺Ｌ２と、辺１７ａ〜１７ｃとで構成されている。一対の辺Ｌ２，１７ａは、互いに対向している。一対の辺１７ｂ，１７ｃは、辺Ｌ２から離れるにつれて互いに近づくように斜めに延びており、辺Ｌ２，１７ａと隣り合い且つ互いに対向している。すなわち、連結部１７は、略台形状を呈している。連結部１７は、折り畳み部１５のうち辺１５ｂと折り目線１５ｅ，１５ｆとで囲まれた部分と、接合部材で接合されている。すなわち、連結部１７は、折り畳み部１５と部分１２Ｂとを接続している。連結部１７は、投函物１の内側に向けて辺Ｌ２に沿って折りたたまれている。
【００３７】
連結部１８は、辺１３ｂを介して折り畳み部１３に連続して設けられている。連結部１８は、辺１３ｂと、辺１８ａ〜１８ｃとで構成されている。一対の辺１３ｂ，１８ａは、互いに対向している。一対の辺１８ｂ，１８ｃは、辺１３ｂから離れるにつれて互いに近づくように斜めに延びており、辺１３ｂ，１８ａと隣り合い且つ互いに対向している。すなわち、連結部１８は、略台形状を呈している。連結部１８は、折り畳み部１３のうち辺１３ｂと折り目線１４ｅ，１４ｇとで囲まれた部分と、接合部材で接合されている。すなわち、連結部１８は、折り畳み部１３と折り畳み部１４とを接続している。連結部１８は、投函物１の内側に向けて辺１３ｂに沿って折りたたまれている。
【００３８】
連結部１９は、辺１３ｃを介して折り畳み部１３に連続して設けられている。連結部１９は、辺１３ｃと、辺１９ａ〜１９ｃとで構成されている。一対の辺１３ｃ，１９ａは、互いに対向している。一対の辺１９ｂ，１９ｃは、辺１３ｃから離れるにつれて互いに近づくように斜めに延びており、辺１３ｃ，１９ａと隣り合い且つ互いに対向している。すなわち、連結部１９は、略台形状を呈している。連結部１９は、折り畳み部１３のうち辺１３ｃと折り目線１５ｅ，１５ｇとで囲まれた部分と、接合部材で接合されている。すなわち、連結部１９は、折り畳み部１３と折り畳み部１５とを接続している。連結部１９は、投函物１の内側に向けて辺１３ｃに沿って折りたたまれている。
【００３９】
折り返し部２０は、辺１２ａを介して表面部１２に連続して設けられている。折り返し部２０は、辺１２ａと、辺２０ａ〜２０ｃとで構成されている。一対の辺１２ａ，２０ａは、略平行に延びており、互いに対向している。辺２０ａの長さは、辺１２ａの長さと同程度であってもよい。一対の辺２０ｂ，２０ｃは、略平行に延びており、辺１２ａ，２０ａと隣り合い且つ互いに対向している。辺２０ｂ，２０ｃの長さは、辺Ｌ１，Ｌ２の長さと同程度であってもよい。折り返し部２０は、裏面部１１と重なり合うと共に表面部１２とで裏面部１１を挟むように辺１２ａに沿って折り畳まれている。
【００４０】
延長部２１は、辺２０ａを介して折り返し部２０に連続して設けられている。すなわち、延長部２１は、折り返し部２０の先端に設けられている。延長部２１は、辺２０ａと、辺２１ａ〜２１ｃとで構成されている。一対の辺２０ａ，２１ａは、略平行に延びており、互いに対向している。一対の辺２１ｂ，２１ｃは、略平行に延びており、辺２０ａ，２１ａと隣り合い且つ互いに対向している。延長部２１は、折り返し部２０が辺１２ａに沿って折りたたまれている状態で、裏面部１１と重なり合うと共に表面部１２とで裏面部１１を挟でいる。
【００４１】
延長部２１には、引き裂き手段２３が設けられている。引き裂き手段２３は、辺２０ａ，２１ａに沿って延びており、辺２０ａ，２１ａの間（シール手段２２と折り返し部２０との間）に配置されている。引き裂き手段２３は、延長部２１を折り返し部２０の延在方向に沿って引き裂くためのものであればよい。本実施形態においては、引き裂き手段２３として、辺２０ａ，２１ａに沿って延びる２条のミシン目で構成されたジッパーを採用している。
【００４２】
延長部２１のうち外面には、案内情報ＡＤ２が表示されている（図１参照）。すなわち、案内情報ＡＤ２は、シート材１０のうち容器Ｂの外側面となる部分に表示されている。案内情報ＡＤ２は、例えば、顧客に投函物１の開封を促すためのキャッチコピーなどであってもよい。
【００４３】
シール手段２２は、延長部２１と裏面部１１との対向面同士を接合する接合部材である。本実施形態においては、シール手段２２として両面テープを採用している。シール手段２２は、辺２０ａ，２１ａに沿って延びており、延長部２１のうち辺２１ａ寄りに配置されている。
【００４４】
続いて、上記の構成を有する投函物１の組立方法について説明する。まず、投函物１が顧客に配送されると、顧客は、図５（ａ）に示されるように、引き裂き手段２３によって延長部２１を引き裂く。これにより、シール手段２２による折り返し部２０と裏面部１１との接続が解除される。その結果、延長部２１が、シール手段２２によって裏面部１１と接合された部分２１Ａと、折り返し部２０に接続された部分２１Ｂとに分割される。
【００４５】
次に、図５（ｂ）及び図６（ａ）に示されるように、部分２１Ｂ及び折り返し部２０を辺１２ａに沿って展開する。これにより、表面部１２、折り返し部２０、及び部分２１Ｂは、シート状に拡がった状態となる。
【００４６】
次に、図６（ｂ）に示されるように、裏面部１１以外（表面部１２、折り畳み部１３〜１５、表面部１２、折り返し部２０、及び部分２１Ｂ）を、裏面部１１に対して起立させる。これにより、折り畳み部１３が辺１１ｂに沿って折り曲げられることにより折り畳み部１３が裏面部１１に対して起立し、折り畳み部１３が容器Ｂの側壁として機能する。折り畳み部１４が辺１１ｃに沿って折り曲げられることにより折り畳み部１４が裏面部１１に対して起立し、折り畳み部１４が容器Ｂの側壁として機能する。折り畳み部１５が辺１１ｄに沿って折り曲げられることにより折り畳み部１５が裏面部１１に対して起立し、折り畳み部１５が容器Ｂの側壁として機能する。部分１２Ａが辺１１ａに沿って折り曲げられることにより表面部１２、折り返し部２０、及び部分２１Ｂが裏面部１１に対して起立し、部分１２Ａが容器の側壁として機能する。
【００４７】
次に、図７（ａ）に示されるように、折り畳み部１４のうち辺１４ａと折り目線１４ｅとの間の部分を、裏面部１１と向かい合うように折り目線１４ｅに沿って折り曲げる。折り畳み部１５のうち辺１５ａと折り目線１５ｅとの間の部分を、裏面部１１と向かい合うように折り目線１５ｅに沿って折り曲げる。これにより、容器Ｂの剛性が高まる。さらに、部分１２Ｂ、折り返し部２０、及び部分２１Ｂを、折り目線ＰＬに沿って裏面部１１に向けて折り曲げる。
【００４８】
次に、図７（ｂ）に示されるように、部分２１Ｂを容器Ｂ内に挿通する。これにより、部分２１Ｂが折り畳み部１３と係合し、容器Ｂが封止される。すなわち、部分１２Ｂ及び折り返し部２０が折り目線ＰＬに沿って曲げられることにこれらが裏面部１１に対向し、これらが容器Ｂの天壁として機能する。こうして、投函物１が箱形状の容器Ｂとして組み立てられる。容器Ｂの形状は、直方体形状であってもよいし、立方体形状であってもよいし、その他の形状であってもよい。容器Ｂの高さは、例えば、１００ｍｍ〜４００ｍｍ程度であってもよいし、２００ｍｍ〜３３０ｍｍ程度であってもよいし、２２０ｍｍ程度であってもよい。容器Ｂの奥行きは、例えば、７０ｍｍ〜４００ｍｍ程度であってもよいし、１００ｍｍ〜３５０ｍｍであってもよいし、１０９ｍｍ程度であってもよい。容器Ｂの横幅は、例えば、３０ｍｍ〜２００ｍｍ程度であってもよいし、４０ｍｍ〜１８０ｍｍ程度であってもよいし、４０ｍｍ程度であってもよい。
【００４９】
以上のような本実施形態では、投函物１が箱形状の容器Ｂに変形可能であるので、シート材１０に表示された案内情報ＡＤ１に従って、組み立てられた容器Ｂを会場に持参した顧客に対して、詰め放題式のサービス等を提供することができる。しかも、所定形状のシート材１０を折り畳んで封止するだけで、箱形状の容器Ｂに変形可能な投函物１が構成されている。そのため、投函物１を極めて簡便に用意することができる。また、投函物１は、郵便ポストや郵便受けに投函可能な程度の大きさであるので、顧客へ配送するための料金を抑制することができる。このように、本実施形態に係る投函物１によれば、投函物１の準備及び配送を低コストに行うことが可能であると共に、投函物１を箱形状の容器Ｂに組み立てる楽しさを顧客に提供しつつ、容器Ｂを用いた詰め放題式のサービス等を顧客に提供することにより、顧客を極めて効果的に誘引することが可能である。
【００５０】
本実施形態では、シール手段２２は延長部２１と裏面部１１との対向面同士を接合している。そのため、シール手段２２が、延長部２１によって覆われ、投函物１の外表面に現れないので、投函物１の美観の向上を図りつつ、投函物１を封止することができる。
【００５１】
本実施形態では、延長部２１に引き裂き手段２３が設けられている。そのため、引き裂き手段２３によって、投函物を簡易且つ迅速に開封することができる。
【００５２】
本実施形態では、シール手段２２による折り返し部２０と裏面部１１との接続が解除されたときに、部分２１Ｂが折り畳み部１３と係合可能である。そのため、部分２１Ｂを容器Ｂ内に挿通することにより、容器Ｂが閉じられた状態を保持することができる。
【００５３】
本実施形態では、案内情報ＡＤ１がシート材１０のうち容器Ｂの内側面となる領域に表示されている。そのため、顧客が投函物１を箱形状の容器Ｂに組み立てる過程で顧客に案内情報ＡＤ１が呈示されるので、顧客は比較的長時間案内情報ＡＤ１に触れることになる。そのため、案内情報ＡＤ１が顧客により印象づけられるので、顧客の誘引をいっそう効果的に行うことが可能となる。
【００５４】
以上、本開示に係る実施形態について詳細に説明したが、本発明の要旨の範囲内で種々の変形を上記の実施形態に加えてもよい。例えば、引き裂き手段２３は、図８及び図９に示されるように、辺２１ｂ，２１ｃにそれぞれ形成された一対の把手部２３Ａと、一対の把手部２３Ａの間において辺２１ａに沿って延びる開封用帯２３Ｂとで構成されていてもよい。開封用帯２３Ｂは、例えば、シート材１０よりも剛性の高いフィルム等で構成されている。そのため、顧客が一方の把手部２３Ａを摘まんで他方の把手部２３Ａに向けて引くと、延長部２１が開封用帯２３Ｂに沿って引き裂かれる。
【００５５】
図１０〜図１２に示されるように、シール手段２２及び引き裂き手段２３に代えて、シート材１０が差し込み部２５及びスリット溝２６，２７（第１及び第２のスリット溝）を有していてもよい。差し込み部２５は、辺２０ａを介して折り返し部２０に連続して設けられている。差し込み部２５の幅は、辺２０ａよりも短い。スリット溝２６は、裏面部１１に設けられている。スリット溝２７は、折り畳み部１３に設けられている。スリット溝２６，２７は、辺２０ａに沿って延びている。スリット溝２６，２７の幅は、差し込み部２５の幅と同程度又は差し込み部２５の幅よりもやや大きい。スリット溝２６，２７の形状は、円弧状であってもよいし、直線状であってもよい。投函物１の状態において、差し込み部２５は、スリット溝２６内に挿通されており、裏面部１１と係合している。そのため、差し込み部２５をスリット溝２６内に挿通するだけで、簡易且つ迅速に投函物１を封止することができる。
【００５６】
このような投函物１を箱形状の容器Ｂに組み立てる場合、まず、差し込み部２５をスリット溝２６から引き出す。次に図１３に示されるように、裏面部１１以外（表面部１２、折り畳み部１３〜１５、表面部１２、折り返し部２０、及び差し込み部２５）を、裏面部１１に対して起立させる。次に、部分１２Ｂ、折り返し部２０、及び差し込み部２５を、折り目線ＰＬに沿って裏面部１１に向けて折り曲げる。次に、図１４に示されるように、差し込み部２５をスリット溝２７内に挿入する。これにより、差し込み部２５が折り畳み部１３と係合し、容器Ｂが封止される。そのため、差し込み部２５をスリット溝２７内に挿通することにより、容器Ｂが閉じられた状態を保持することができる。
【００５７】
図１５に示されるように、引き裂き手段２３を構成する２条のミシン目のうち、辺２０ａ側のミシン目の中央部が辺２１ａ側に向けて突出しており、折り畳み部１３にスリット溝２７が設けられていてもよい。この場合、引き裂き手段２３によって延長部２１が引き裂かれると、部分２１Ｂに差し込み部２５が形成される。そのため、投函物１が容器Ｂに組み立てられる際に、差し込み部２５をスリット溝２７内に挿入することにより、差し込み部２５が折り畳み部１３と係合し、容器Ｂが封止される。
【００５８】
上記実施形態におけるシール手段２２として、被着体に対して貼付及び剥離を繰り返し行える再剥離シール（図示せず）を用いてもよい。この場合、シート材１０は延長部２１及び引き裂き手段２３を有しておらず、裏面部１１と折り返し部２０とが再剥離シールによって接合されることにより投函物１が構成されている。再剥離シールが投函物１から剥がされて投函物１が開封され、箱形状の容器Ｂに組み立てられた後は、例えば折り返し部２０と折り畳み部１３とを再剥離シールによって接合することで、容器Ｂを封止することができる。
【００５９】
案内情報ＡＤ１，ＡＤ２は、シート材１０のうち容器Ｂの内側面となる部分に表示されていてもよいし、シート材１０のうち容器Ｂの外側面となる部分に表示されていてもよい。
【００６０】
連結部１６〜１９、折り返し部２０、及び延長部２１の外形は、四角形のみならず、三角形、五角形等の他の多角形であってもよいし、円形であってもよいし、その他の形状であってもよい。
【００６１】
図６（ｂ）に示されるように、表面部１２と、折り畳み部１４，１５とをそれぞれ接続するシール手段２８（第２のシール手段）をさらに備えてもよい。具体的には、図６（ｂ）において、シール手段２８は、接合部材ＡＨ１，ＡＨ２を有する。
【００６２】
接合部材ＡＨ１は、表面部１２と、折り畳み部１４のうち辺１１ｃ及び折り目線１４ｆ，１４ｇで囲まれる領域との対向面同士を接合している。すなわち、接合部材ＡＨ１は、表面部１２（部分１２Ｂ）のうち裏面部１１と対向する側の面（投函物１の内側となる面）と、折り畳み部１４のうち折り目線１４ｆ，１４ｇに沿って折り畳まれたときに自身と重なり合わない部分とに配置されている。折り畳み部１４について換言すれば、折り畳み部１４が折り目線１４ｆ，１４ｇに沿って折り畳まれた場合、辺１４ａ，１４ｂ及び折り目線１４ｆで囲まれた領域と、辺１４ａ，１４ｃ及び折り目線１４ｇで囲まれた領域とは、互いに離間しており、折り畳み部１４のうち辺１１ｃ及び折り目線１４ｆ，１４ｇで囲まれる領域の中央部分と重なり合っていない。接合部材ＡＨ１は、折り畳み部１４の当該中央部分に配置されている。
【００６３】
接合部材ＡＨ２は、表面部１２と、折り畳み部１５のうち辺１１ｄ及び折り目線１５ｆ，１５ｇで囲まれる領域との対向面同士を接合している。すなわち、接合部材ＡＨ２は、表面部１２（部分１２Ｂ）のうち裏面部１１と対向する側の面（投函物１の内側となる面）と、折り畳み部１５のうち折り目線１５ｆ，１５ｇに沿って折り畳まれたときに自身と重なり合わない部分とに配置されている。折り畳み部１５について換言すれば、折り畳み部１５が折り目線１５ｆ，１５ｇに沿って折り畳まれた場合、辺１５ａ，１５ｂ及び折り目線１５ｆで囲まれた領域と、辺１５ａ，１５ｃ及び折り目線１４ｇで囲まれた領域とは、互いに離間しており、折り畳み部１５のうち辺１１ｄ及び折り目線１５ｆ，１５ｇで囲まれる領域の中央部分と重なり合っていない。接合部材ＡＨ２は、折り畳み部１５の当該中央部分に配置されている。
【００６４】
このように、表面部１２と、折り畳み部１４，１５とがそれぞれシール手段２８によって接続されている場合、表面部１２と、折り畳み部１４，１５との間に隙間が生じ難くなる。そのため、投函物１を郵便等で配送する際に、表面部１２と折り畳み部１４，１５との間に他の投函物が挟まり難くなる。従って、他の投函物が投函物１に巻き込まれることを抑制できる。また、表面部１２と折り畳み部１４，１５との間に隙間が生じ難いので、投函物１の配送に際して、雨やその他の異物が投函物１の内部へ侵入することを抑制できる。
【符号の説明】
【００６５】
１…投函物、１０…シート材、１１…裏面部、１１ａ〜１１ｄ…辺（第１〜第４の辺）、１２…表面部、１２Ａ，１２Ｂ…部分、１２ａ〜１２ｃ…辺（第５〜第７の辺）、１３〜１５…折り畳み部（第１〜第３の折り畳み部）、１４ｆ，１４ｇ…折り目線（第２の折り目線）、１５ｆ，１５ｇ…折り目線（第３の折り目線）、２０…折り返し部、２１…延長部、２２…シール手段（第１のシール手段、第１の接合部材）、２３…引き裂き手段、２５…差し込み部、２６…スリット溝（第１のスリット溝）、２７…スリット溝（第２のスリット溝）、２８…シール手段（第２のシール手段）、ＡＤ１，ＡＤ２…案内情報、ＡＨ１…接合部材（第２の接合部材）、ＡＨ２…接合部材（第３の接合部材）、Ｂ…容器、ＰＬ…折り目線（第１の折り目線）。
【図１】
0006477189.tif 000002
【図２】
0006477189.tif 000003
【図３】
0006477189.tif 000004
【図４】
0006477189.tif 000005
【図５】
0006477189.tif 000006
【図６】
0006477189.tif 000007
【図７】
0006477189.tif 000008
【図８】
0006477189.tif 000009
【図９】
0006477189.tif 000010
【図１０】
0006477189.tif 000011
【図１１】
0006477189.tif 000012
【図１２】
0006477189.tif 000013
【図１３】
0006477189.tif 000014
【図１４】
0006477189.tif 000015
【図１５】
0006477189.tif 000016